(57)【要約】【課題】架空用光コネクタを容易に識別することが可能なコネクタ識別システム、このシステムで用いられる制御装置及びコネクタ識別プログラムを提供する。【解決手段】ＲＦＩＤタグ１０は、コネクタ１００を特定可能な固有シリアル番号を予め記憶する。そして、ＲＦＩＤタグ１０は、ＲＦＩＤリーダ／ライタ３０により搬送されたシリアル番号が固有シリアル番号と一致する場合、発光素子１１を発行させる。また、ＰＣ６０は、ＲＦＩＤタグ１０の撮像映像を、発光素子の発行位置にシリアル番号、コネクタの設備情報及びお客様情報を付してＣＲＴ５０に表示する。【選択図】      図１
2011067077.tif 000002
【特許請求の範囲】
【請求項１】
コネクタに取り付けられ、前記コネクタを特定可能な固有情報を予め記録するＲＦＩＤタグと、
前記固有情報を予め記録する記録装置と、
前記ＲＦＩＤタグに対して電波を照射するＲＦＩＤリーダ／ライタと、
外部から入力された入力情報により指定された指定固有情報を前記記録装置から読み出し、前記ＲＦＩＤリーダ／ライタに前記電波により前記指定固有情報を搬送させる制御装置と
を具備し、
前記ＲＦＩＤタグは、発光素子を備え、前記ＲＦＩＤリーダ／ライタからの電波を受信した場合、前記指定固有情報と、自身の固有情報とを比較し、一致した場合、前記発光素子を発光させることを特徴とするコネクタ識別システム。
【請求項２】
前記ＲＦＩＤタグは、
前記コネクタのコネクタ種別に応じて予め設定される、前記発光素子の発光規則を予め記録し、
前記指定固有情報と、自身の固有情報とが一致した場合、前記発光素子を前記発光規則に従って発光させることを特徴とする請求項１記載のコネクタ識別システム。
【請求項３】
前記ＲＦＩＤタグは、点灯及び点滅を含む発光パターンを前記発光規則として予め記録することを特徴とする請求項２記載のコネクタ識別システム。
【請求項４】
前記ＲＦＩＤタグは、複数の発光素子を備え、前記複数の発光素子における発光数を前記発光規則として予め記録することを特徴とする請求項２記載のコネクタ識別システム。
【請求項５】
前記ＲＦＩＤタグは、複数の発光素子を備え、前記複数の発光素子による十字型及びＸ字型を含む発光形状を前記発光規則として予め記録することを特徴とする請求項２記載のコネクタ識別システム。
【請求項６】
前記ＲＦＩＤタグを撮像し、映像データを前記制御装置へ出力する撮像装置と、
前記映像データが前記制御装置により加工された加工映像データを表示する表示装置と
をさらに備え、
前記記録装置は、前記コネクタに関する設定情報を、前記固有情報と対応付けて予め記録し、
前記制御装置は、
前記入力情報により指定された指定固有情報及び指定設定情報を前記記録装置から読み出し、
前記撮像装置からの映像データに基づいて前記発光素子の発光位置を認識し、
前記映像データにおける前記発光位置に、前記指定固有情報及び指定設定情報を重ね合わせることで前記加工映像データを作成し、前記加工映像データを前記表示装置へ出力することを特徴とする請求項１記載のコネクタ識別システム。
【請求項７】
前記ＲＦＩＤタグを撮像し、映像データを前記制御装置へ出力する撮像装置と、
前記映像データが前記制御装置により加工された加工映像データを表示する表示装置と
をさらに備え、
前記記録装置は、前記コネクタに関する設定情報を、前記固有情報と対応付けて予め記録し、
前記制御装置は、
前記入力情報により指定された指定固有情報及び指定設定情報を前記記録装置から読み出し、
前記撮像装置からの映像データに基づいて前記発光素子の発光位置及び発光規則を認識し、
前記発光規則に基づいて、前記コネクタのコネクタ種別を判別し、
前記映像データにおける前記発光位置に、前記コネクタ種別に対応した指定固有情報及び指定設定情報を重ね合わせることで前記加工映像データを作成し、
前記加工映像データを前記表示装置へ出力することを特徴とする請求項２記載のコネクタ識別システム。
【請求項８】
前記ＲＦＩＤタグは、
スピーカをさらに備え、
前記指定固有情報と、自身の固有情報とが一致した場合、前記スピーカから信号音を発生させることを特徴とする請求項１記載のコネクタ識別システム。
【請求項９】
前記ＲＦＩＤタグは、
バイブレータをさらに備え、
前記指定固有情報と、自身の固有情報とが一致した場合、前記バイブレータを振動させることを特徴とする請求項１記載のコネクタ識別システム。
【請求項１０】
コネクタに取り付けられ、前記コネクタを特定可能な固有情報を予め記録するＲＦＩＤタグと、
前記固有情報を予め記録する記録装置と、
前記ＲＦＩＤタグに対して電波を照射するＲＦＩＤリーダ／ライタと、
外部から入力された入力情報に基づいて前記ＲＦＩＤリーダ／ライタを制御する制御装置と
を具備するコネクタ識別システムに用いられる制御装置であって、
前記入力情報により指定された指定固有情報を前記記録装置から読み出し、前記ＲＦＩＤリーダ／ライタに前記電波により前記指定固有情報を搬送させる読出し部を具備することを特徴とする制御装置。
【請求項１１】
前記ＲＦＩＤタグが発光素子を備え、前記ＲＦＩＤリーダ／ライタからの電波により搬送された指定固有情報と、自身の固有情報とを比較し、一致した場合に、前記発光素子を発光させるものであり、前記記録装置が前記コネクタに関する設定情報を、前記固有情報と対応付けて予め記録するものである場合、
前記読出し部は、前記入力情報により指定された指定固有情報及び指定設定情報を前記記録装置から読み出し、
前記制御装置は、
前記ＲＦＩＤタグを撮像する撮像装置からの映像データを取り込む映像取込部と、
前記映像データに基づいて前記発光素子の発光位置を認識する発光認識部と、
前記映像データにおける前記発光位置に、前記指定固有情報及び指定設定情報を重ね合わせることで加工映像データを作成する映像加工部と、
前記加工映像データを外部へ出力する映像出力部と
をさらに具備することを特徴とする請求項１０記載の制御装置。
【請求項１２】
前記ＲＦＩＤタグが、前記コネクタのコネクタ種別に応じて予め設定される、前記発光素子の発光規則を予め記録し、前記指定固有情報と、自身の固有情報とが一致した場合に、前記発光素子を前記発光規則に従って発光させるものである場合、
前記発光認識部は、前記発光素子の発光規則をさらに認識し、前記発光規則に基づいて、前記コネクタのコネクタ種別を判別し、
前記映像加工部は、前記映像データにおける前記発光位置に、前記コネクタ種別に対応した指定固有情報及び指定設定情報を重ね合わせることで前記加工映像データを作成することを特徴とする請求項１１記載の制御装置。
【請求項１３】
コネクタに取り付けられ、前記コネクタを特定可能な固有情報を予め記録したＲＦＩＤタグであって、所定の条件で搭載された発光素子が発光するＲＦＩＤタグと、
前記固有情報と、前記コネクタに関する設定情報とを互いに対応付けて予め記録する記録装置と、
前記ＲＦＩＤタグに対して電波を照射するＲＦＩＤリーダ／ライタと、
前記ＲＦＩＤタグを撮像し、映像データを取得する撮像装置と、
外部から入力された入力情報に基づいて前記ＲＦＩＤリーダ／ライタを制御し、前記映像データを加工して加工映像データを作成する制御装置と、
前記加工映像データを表示する表示装置と
を具備するコネクタ識別システムに用いられるコネクタ識別プログラムであって、
前記入力情報により指定された指定固有情報及び指定設定情報を前記記録装置から読み出す処理と、
前記ＲＦＩＤリーダ／ライタに前記電波により前記指定固有情報を搬送させる処理と、
前記撮像装置からの映像データを取り込む処理と、
前記映像データに基づいて前記発光素子の発光位置と発光規則とを認識する処理と、
前記発光規則に基づいて、前記コネクタのコネクタ種別を判別する処理と、
前記映像データにおける前記発光位置に、前記コネクタ種別に対応した指定固有情報及び指定設定情報を重ね合わせることで前記加工映像データを作成する処理と
を前記制御装置のコンピュータに実行させることを特徴とするコネクタ識別プログラム。
【発明の詳細な説明】
【技術分野】
【０００１】
本発明は、光ファイバを用いた通信サービス提供時に、光ファイバ同士を接続するコネクタを識別するコネクタ識別システム、このシステムで用いられる制御装置及びコネクタ識別プログラムに関する。
【背景技術】
【０００２】
光サービスを契約者に提供するため、作業者は、架空接続部（架空用光クロージャ）の光スプリッタ側の光ファイバと、契約者宅とつながっているドロップファイバとを架空用光コネクタで接続するための接続作業を行う（例えば、非特許文献１参照）。
架空用光クロージャ内において、光スプリッタの下部には、複数個の架空用光コネクタが取り付けられている。作業指示書には、ドロップファイバが接続されるべき架空用光コネクタのコネクタ番号が記載されている。作業者は、作業指示書のコネクタ番号を参照し、該当する架空用光コネクタに対してドロップファイバを接続する。
【０００３】
また、サービス変更時及びサービス廃止時には、架空用光コネクタとドロップファイバとの接続を外す必要がある。
【先行技術文献】
【非特許文献】
【０００４】
【非特許文献１】「光サービスの経済化・即応化に貢献するＲ＆Ｄ」、ＮＴＴ技術ジャーナル２００６年１２月号、ｐ．５３−５７
【発明の概要】
【発明が解決しようとする課題】
【０００５】
しかしながら、架空用光クロージャ内には複数の光スプリッタが収容されていることもあり、開通時に光スプリッタ側のどの架空用光コネクタにドロップファイバを取り付けるか判別が困難なことがある。
加えて、サービス変更時及びサービス廃止時に光スプリッタ側のどの架空用光コネクタを外すべきか判別が困難なこともある。
【０００６】
これらの対策として、個々の架空用光コネクタに対して荷札を取り付けて、番号で管理を行うこともあるが、複数の架空用光コネクタの中から対象となるコネクタを探し出すため、非常に手間がかかる。
また、誤って異なる架空用光コネクタを外してしまい、サービスに対して影響を与えてしまうこともある。
【０００７】
この発明は上記事情によりなされたもので、その目的は、架空用光コネクタを容易に識別することが可能なコネクタ識別システム、このシステムで用いられる制御装置及びコネクタ識別プログラムを提供することにある。
【課題を解決するための手段】
【０００８】
上記目的を達成するため、本発明に係るコネクタ識別システムは、コネクタに取り付けられ、前記コネクタを特定可能な固有情報を予め記録するＲＦＩＤタグと、前記固有情報を予め記録する記録装置と、前記ＲＦＩＤタグに対して電波を照射するＲＦＩＤリーダ／ライタと、外部から入力された入力情報により指定された指定固有情報を前記記録装置から読み出し、前記ＲＦＩＤリーダ／ライタに前記電波により前記指定固有情報を搬送させる制御装置とを具備し、前記ＲＦＩＤタグは、発光素子を備え、前記ＲＦＩＤリーダ／ライタからの電波を受信した場合、前記指定固有情報と、自身の固有情報とを比較し、一致した場合、前記発光素子を発光させることを特徴とする。
【０００９】
上記構成のコネクタ識別子システムでは、ＲＦＩＤリーダ／ライタから送信される固有情報と、ＲＦＩＤタグの固有情報とが一致する場合、ＲＦＩＤタグの発光素子が発光する。これにより、作業者は、複数のコネクタから作業対象のコネクタを極めて容易に見つけることが可能となる。
【００１０】
また、前記ＲＦＩＤタグは、前記コネクタのコネクタ種別に応じて予め設定される、前記発光素子の発光規則を予め記録し、前記指定固有情報と、自身の固有情報とが一致した場合、前記発光素子を前記発光規則に従って発光させることを特徴とする。
これにより、コネクタ識別システムは、コネクタ種別が異なるコネクタに取り付けられたＲＦＩＤタグの発光素子をそれぞれ発光させることが可能となる。
【００１１】
また、前記ＲＦＩＤタグは、点灯及び点滅を含む発光パターンを前記発光規則として予め記録することを特徴とする。
これにより、コネクタ識別システムは、ＲＦＩＤタグに設置される発光素子が一つである場合において、コネクタ種別を識別して発光素子を発光させることが可能となる。
【００１２】
また、前記ＲＦＩＤタグは、複数の発光素子を備え、前記複数の発光素子における発光数を前記発光規則として予め記録することを特徴とする。
これにより、コネクタ識別システムは、ＲＦＩＤタグに設置される発光素子が複数である場合においても、コネクタ種別を識別して発光素子を発光させることが可能となる。
【００１３】
また、前記ＲＦＩＤタグは、複数の発光素子を備え、前記複数の発光素子による十字型及びＸ字型を含む発光形状を前記発光規則として予め記録することを特徴とする。
これにより、コネクタ識別システムは、ＲＦＩＤタグに設置される発光素子が複数である場合においても、コネクタ種別を識別して発光素子を発光させることが可能となる。
【００１４】
また、コネクタ識別システムは、前記ＲＦＩＤタグを撮像し、映像データを前記制御装置へ出力する撮像装置と、前記映像データが前記制御装置により加工された加工映像データを表示する表示装置とをさらに備え、前記記録装置は、前記コネクタに関する設定情報を、前記固有情報と対応付けて予め記録し、前記制御装置は、前記入力情報により指定された指定固有情報及び指定設定情報を前記記録装置から読み出し、前記撮像装置からの映像データに基づいて前記発光素子の発光位置を認識し、前記映像データにおける前記発光位置に、前記指定固有情報及び指定設定情報を重ね合わせることで前記加工映像データを作成し、前記加工映像データを前記表示装置へ出力することを特徴とする。
【００１５】
これにより、コネクタ識別システムは、発光しているＲＦＩＤタグが取り付けられたコネクタの固有情報及び設定情報を、表示装置に表示させることが可能となる。
また、コネクタ識別システムは、前記ＲＦＩＤタグを撮像し、映像データを前記制御装置へ出力する撮像装置と、前記映像データが前記制御装置により加工された加工映像データを表示する表示装置とをさらに備え、前記記録装置は、前記コネクタに関する設定情報を、前記固有情報と対応付けて予め記録し、前記制御装置は、前記入力情報により指定された指定固有情報及び指定設定情報を前記記録装置から読み出し、前記撮像装置からの映像データに基づいて前記発光素子の発光位置及び発光規則を認識し、前記発光規則に基づいて、前記コネクタのコネクタ種別を判別し、前記映像データにおける前記発光位置に、前記コネクタ種別に対応した指定固有情報及び指定設定情報を重ね合わせることで前記加工映像データを作成し、前記加工映像データを前記表示装置へ出力することを特徴とする。
【００１６】
これにより、コネクタ識別システムは、発光しているＲＦＩＤタグが取り付けられたコネクタの固有情報及び設定情報を、コネクタ種別毎に対応させて表示することが可能となる。
また、前記ＲＦＩＤタグは、スピーカをさらに備え、前記指定固有情報と、自身の固有情報とが一致した場合、前記スピーカから信号音を発生させることを特徴とする。
【００１７】
これにより、コネクタ識別システムは、光に加え音によってもコネクタを識別させることが可能となる。
また、前記ＲＦＩＤタグは、バイブレータをさらに備え、前記指定固有情報と、自身の固有情報とが一致した場合、前記バイブレータを振動させることを特徴とする。
【００１８】
これにより、コネクタ識別システムは、光に加え振動によってもコネクタを識別させることが可能となる。
また、本発明に係る制御装置は、コネクタに取り付けられ、前記コネクタを特定可能な固有情報を予め記録するＲＦＩＤタグと、前記固有情報を予め記録する記録装置と、前記ＲＦＩＤタグに対して電波を照射するＲＦＩＤリーダ／ライタと、外部から入力された入力情報に基づいて前記ＲＦＩＤリーダ／ライタを制御する制御装置とを具備するコネクタ識別システムに用いられる制御装置であって、前記入力情報により指定された指定固有情報を前記記録装置から読み出し、前記ＲＦＩＤリーダ／ライタに前記電波により前記指定固有情報を搬送させる読出し部を具備することを特徴とする。
【００１９】
これにより、制御装置は、ＲＦＩＤタグへ、指定固有情報を含んだ電波を照射することが可能となる。
また、前記ＲＦＩＤタグが発光素子を備え、前記ＲＦＩＤリーダ／ライタからの電波により搬送された指定固有情報と、自身の固有情報とを比較し、一致した場合に、前記発光素子を発光させるものであり、前記記録装置が前記コネクタに関する設定情報を、前記固有情報と対応付けて予め記録するものである場合、前記読出し部は、前記入力情報により指定された指定固有情報及び指定設定情報を前記記録装置から読み出し、前記制御装置は、前記ＲＦＩＤタグを撮像する撮像装置からの映像データを取り込む映像取込部と、前記映像データに基づいて前記発光素子の発光位置を認識する発光認識部と、前記映像データにおける前記発光位置に、前記指定固有情報及び指定設定情報を重ね合わせることで加工映像データを作成する映像加工部と、前記加工映像データを外部へ出力する映像出力部とをさらに具備することを特徴とする。
【００２０】
これにより、制御装置は、発光しているＲＦＩＤタグが取り付けられたコネクタの固有情報及び設定情報を、表示装置に表示させることが可能となる。
また、前記ＲＦＩＤタグが、前記コネクタのコネクタ種別に応じて予め設定される、前記発光素子の発光規則を予め記録し、前記指定固有情報と、自身の固有情報とが一致した場合に、前記発光素子を前記発光規則に従って発光させるものである場合、前記発光認識部は、前記発光素子の発光規則をさらに認識し、前記発光規則に基づいて、前記コネクタのコネクタ種別を判別し、前記映像加工部は、前記映像データにおける前記発光位置に、前記コネクタ種別に対応した指定固有情報及び指定設定情報を重ね合わせることで前記加工映像データを作成することを特徴とする。
【００２１】
これにより、制御装置は、発光しているＲＦＩＤタグが取り付けられたコネクタの固有情報及び設定情報を、コネクタ種別毎に対応させて表示装置に表示させることが可能となる。
また、本発明に係るコネクタ識別プログラムは、コネクタに取り付けられ、前記コネクタを特定可能な固有情報を予め記録したＲＦＩＤタグであって、所定の条件で搭載された発光素子が発光するＲＦＩＤタグと、前記固有情報と、前記コネクタに関する設定情報とを互いに対応付けて予め記録する記録装置と、前記ＲＦＩＤタグに対して電波を照射するＲＦＩＤリーダ／ライタと、前記ＲＦＩＤタグを撮像し、映像データを取得する撮像装置と、外部から入力された入力情報に基づいて前記ＲＦＩＤリーダ／ライタを制御し、前記映像データを加工して加工映像データを作成する制御装置と、前記加工映像データを表示する表示装置とを具備するコネクタ識別システムに用いられるコネクタ識別プログラムであって、前記入力情報により指定された指定固有情報及び指定設定情報を前記記録装置から読み出す処理と、前記ＲＦＩＤリーダ／ライタに前記電波により前記指定固有情報を搬送させる処理と、前記撮像装置からの映像データを取り込む処理と、前記映像データに基づいて前記発光素子の発光位置と発光規則とを認識する処理と、前記発光規則に基づいて、前記コネクタのコネクタ種別を判別する処理と、前記映像データにおける前記発光位置に、前記コネクタ種別に対応した指定固有情報及び指定設定情報を重ね合わせることで前記加工映像データを作成する処理とを前記制御装置のコンピュータに実行させることを特徴とする。
【００２２】
これにより、コネクタ識別プログラムによれば、ＲＦＩＤリーダ／ライタから送信される固有情報と、ＲＦＩＤタグの固有情報とが一致する場合、ＲＦＩＤタグの発光素子を発光させることが可能となる。そして、ＲＦＩＤタグを撮像し、その発光を認識することで、発光しているＲＦＩＤタグが取り付けられたコネクタの固有情報及び設定情報を、表示装置に表示させることが可能となる。
【発明の効果】
【００２３】
この発明によれば、コネクタを容易に識別することが可能なコネクタ識別システム、このシステムで用いられる制御装置及びコネクタ識別プログラムを提供することができる。
【図面の簡単な説明】
【００２４】
【図１】本発明の第１の実施形態に係るコネクタ識別システムの機能構成を示すブロック図である。
【図２】図１のＲＦＩＤタグの構成を示す図である。
【図３】図２のＲＦＩＤチップの機能構成を示すブロック図である。
【図４】図１のＰＣの機能構成を示すブロック図である。
【図５】図１のＣＲＴの表示例を示す図である。
【図６】図１のＲＦＩＤタグの取り付け例を示す図である。
【図７】図１のＰＣがＲＦＩＤタグに対して電波を照射する際のシーケンス図である。
【図８】図６に示すＲＦＩＤタグのＲＦＩＤチップが発光素子を発光させる際のフローチャートである。
【図９】図１のＣＲＴにコネクタの情報を表示させる際のシーケンス図である。
【図１０】図１のＣＲＴの表示例を示す図である。
【図１１】本発明の第２の実施形態に係わるＲＦＩＤチップの機能構成を示すブロック図である。
【図１２】本発明の第２の実施形態に係るＰＣの機能構成を示すブロック図である。
【図１３】本発明の第２の実施形態に係るＲＦＩＤタグの取り付け例を示す図である。
【図１４】図１２のＰＣがＲＦＩＤタグに対して電波を照射する際のシーケンス図である。
【図１５】図１３のＲＦＩＤタグのＲＦＩＤチップが発光素子を発光させる際のフローチャートである。
【図１６】図１３のコネクタの情報をＣＲＴに表示させる際のシーケンス図である。
【図１７】本発明の第２の実施形態に係るＣＲＴの表示例を示す模式図である。
【図１８】本発明の第２の実施形態の変形例１に係わるＲＦＩＤチップの機能構成を示すブロック図である。
【図１９】図１８の発光素子の発光形状とコネクタ種別との対応関係の例を示す。
【図２０】本発明の第２の実施形態の変形例２に係わるＲＦＩＤチップの機能構成を示すブロック図である。
【図２１】図２０の発光素子の発光パターンの例を示す図である。
【図２２】図２０の発光素子の発光パターンとコネクタ種別との対応関係の例を示す図である。
【図２３】本発明のその他の実施形態に係るＲＦＩＤタグの構成を示す模式図である。
【図２４】図２３のＲＦＩＤチップの機能構成を示すブロック図である。
【図２５】図２４のＲＦＩＤチップが発光素子を発光させる際のフローチャートである。
【図２６】本発明のその他の実施形態に係るＲＦＩＤタグの構成を示す模式図である。
【図２７】図２６のＲＦＩＤチップの機能構成を示すブロック図である。
【図２８】図２７のＲＦＩＤチップが発光素子を発光させる際のフローチャートである。
【発明を実施するための形態】
【００２５】
以下、図面を参照しながら本発明に係るコネクタ識別システム、このシステムで用いられる制御装置及びコネクタ識別プログラムの実施の形態について詳細に説明する。
［第１の実施形態］  
図１は、本発明の第１の実施形態に係るコネクタ識別システムの機能構成を示すブロック図である。図１におけるコネクタ識別システムは、ＲＦＩＤタグ１０、データベース（ＤＢ）２０、ＲＦＩＤリーダ／ライタ３０、ビデオカメラ４０、ＣＲＴ（Cathode Ray Tube）５０、ＰＣ（Personal Computer）６０及びキーボード等の操作入力部７０を具備する。
【００２６】
ＲＦＩＤタグ１０は、コネクタ１００の先端に取り付けられている。ＲＦＩＤタグ１０は、ＬＥＤ（Light Emitted Diode）等の発光素子１１を備える。ＲＦＩＤタグ１０には、コネクタ１００を特定可能なシリアル番号が予め記録されている。
【００２７】
データベース２０、ＲＦＩＤリーダ／ライタ３０、ビデオカメラ４０、ＣＲＴ５０及び操作入力部７０は、ＰＣ６０に接続されている。
ＰＣ６０は、操作入力部７０からユーザの指示を受信する。ユーザは、操作入力部７０に対して設備情報及びお客様情報等の情報を入力する。ここで、設備情報とはコネクタ１００の製造年月日及び製造会社等を示す情報であり、お客様情報とはサービス種別及びお客様名等を示す情報のことである。ＰＣ６０は、操作入力部７０からの指示に基づいて、データベース２０に記憶されているシリアル番号を読み出す。データベース２０には、設備情報及びお客様情報等とシリアル番号とが関連付けて記憶されている。
【００２８】
また、ＰＣ６０は、データベース２０から読み出したシリアル番号をＲＦＩＤリーダ／ライタ３０へ出力する。ＲＦＩＤリーダ／ライタ３０は、ＰＣ６０からのシリアル番号で無線周波数帯の電波を変調し、その電波をＲＦＩＤタグ１０へ照射する。
ＲＦＩＤタグ１０は、電波を介して受信したシリアル番号が、自身が有するシリアル番号と一致する場合、発光素子１１を発光させる。ビデオカメラ４０は、ＲＦＩＤタグ１０の発光状態を撮像し、映像データをＰＣ６０へ出力する。
【００２９】
ＰＣ６０は、ビデオカメラ４０からの映像データに対して、所定の処理を施した後、この映像をＣＲＴ５０に表示させる。
図２は、本発明の第１の実施形態に係るＲＦＩＤタグ１０の構成を示す概略図である。図２におけるＲＦＩＤタグ１０は、発光素子１１、ＲＦＩＤチップ１２及び受信用アンテナ１３を備える。
【００３０】
受信用アンテナ１３は、ＲＦＩＤタグ１０内でループ状となるように形成される。受信用アンテナ１３は、ＲＦＩＤリーダ／ライタ３０からの電波を受信すると、受信信号をＲＦＩＤチップ１２へ伝送する。また、受信用アンテナ１３は、ＲＦＩＤリーダ／ライタ３０からの電波により電磁誘導を起こし、ＲＦＩＤチップ１２に対して電力を供給することが可能である。
【００３１】
図３は、本発明の第１の実施形態に係るＲＦＩＤチップ１２の機能構成を示すブロック図である。図３におけるＲＦＩＤチップ１２は、シリアル受信部１２１、判定部１２２、記憶部１２３及びＬＥＤ起動部１２４の機能を有する。
シリアル受信部１２１は、電波を介して送信されたシリアル番号を受信し、判定部１２２へ転送する。
【００３２】
記憶部１２３には、コネクタ１００が特定可能な固有のシリアル番号が予め記憶されている。記憶部１２３は、判定部１２２からの指示により、判定部１２２へ固有シリアル番号を出力する。
判定部１２２は、シリアル受信部１２１からシリアル番号を受信すると、記憶部１２３に対して固有シリアル番号を返すように指示を出す。判定部１２２は、シリアル受信部１２１からシリアル番号と、記録部１２３から固有シリアル番号とを比較し、これらのシリアル番号が一致するか否かを判断する。判定部１２２は、これらのシリアル番号が一致する場合、一致通知をＬＥＤ起動部１２４へ出力する。
【００３３】
ＬＥＤ起動部１２４は、判定部１２２からの一致通知に応じて、発光素子１１を発光させる。
図４は、本発明の第１の実施形態に係るＰＣ６０の機能構成を示すブロック図である。図４におけるＰＣ６０は、検索部６１、映像取込部６２、映像加工部６３及び発光認識部６４を備える。
【００３４】
検索部６１は、外部入力ＩＦ６５を介して設備情報及びお客様情報のうち少なくともいずれかが入力されると、その入力情報に対応する設備情報、お客様情報及びシリアル番号を検索する。検索部６１は、ＤＢ送受信ＩＦ６６を介して入力情報をデータベース２０へ転送し、入力情報に対応した設備情報、お客様情報及びシリアル番号をデータベース２０に応答させる。これにより、入力情報により指定された設備情報、お客様情報及びシリアル番号がデータベース２０から読み出される。なお、データベース２０には、例えば図４に示すように、設備情報とシリアル番号とが対応付けられたテーブル１と、お客様情報とシリアル番号とが対応付けられたテーブル２とが格納されている。
【００３５】
検索部６１は、データベース２０から読み出したシリアル番号を、ＲＦＩＤリーダ／ライタＩＦ６７を介してＲＦＩＤリーダ／ライタ３０へ出力する。また、検索部６１は、データベース２０から読み出した設備情報、お客様情報及びシリアル番号を発光認識部６４へ出力する。なお、検索部６１は、設備情報及びお客様情報のうち少なくともいずれか一方を発光認識部６４へ出力するようにしても良い。
【００３６】
映像取込部６２は、ビデオカメラ４０で撮像された映像データをビデオカメラＩＦ６８を介して取り込む。映像取込部６２は、映像データを発光認識部６４へ出力する。また、映像取込部６２は、発光認識部６４から認識通知があった場合、映像加工部６３へ映像データを出力する。
【００３７】
発光認識部６４は、映像取込部６２からの映像データに対して画像解析を行い、映像中に発光素子による発光があるか否かを判断する。発光認識部６４は、発光を認識した場合、発光素子による発光があったと判断し、映像取込部６２に対して、認識通知を出力する。また、発光認識部６４は、発光を認識した場合、設備情報、お客様情報及びシリアル番号を映像加工部６３へ出力する。このとき、発光認識部６４は、これらの情報を映像中の発光位置に合わせて表示するように、映像加工部６３に対して表示位置に関する指示を出す。なお、発光認識部６４は、設備情報及びお客様情報のうち少なくともいずれか一方を映像加工部６３へ出力するようにしても良い。
【００３８】
映像加工部６３は、映像取込部６２からの映像データを、発光認識部６４から指示された位置に発光認識部６４からの情報を表示するように加工する。映像加工部６３は、加工後の映像をＣＲＴ  ＩＦ６９を介してＣＲＴ５０へ出力する。図５は、ＣＲＴ５０の表示例を示す模式図である。発光素子１１が発光している場合、ＣＲＴ５０には、コネクタ１００のシリアル番号、設備情報である製造年月日及び製造会社、お客様情報であるサービス種別及びお客様名が表示される。
【００３９】
次に、上記構成における動作を説明する。ここでは、図６に示すように、光スプリッタ２００側の光ファイバにコネクタ１００−１〜１００−４が取り付けられ、コネクタ１００−１，１００−２には、ドロップファイバ側のコネクタ１００−５，１００−６がそれぞれ接続される場合を説明する。コネクタ１００−１〜１００−６には、それぞれＲＦＩＤタグ１０−１〜１０−６が取り付けられている。
【００４０】
図７は、本発明の第１の実施形態に係るＰＣ６０がＲＦＩＤタグ１０−１〜１０−６に対して電波を照射する際のシーケンス図である。
図７において、まず、ユーザは、操作入力部７０により検索したい設備情報及びお客様情報のうち少なくともいずれか一方を入力する。図７においては、お客様情報であるお客様名が入力された場合を例に説明する。
【００４１】
外部入力ＩＦ６５は、ユーザが入力したお客様名を受信する（Ｓ７１）。外部入力ＩＦ６５は、このお客様情報を検索部６１へ転送する（Ｓ７２）。検索部６１は、お客様名をＤＢ送受信ＩＦ６６を介して（Ｓ７３）、データベース２０へ送信する（Ｓ７４）。
【００４２】
データベース２０は、テーブル１及びテーブル２を参照して、入力されたお客様名に対応した設備情報、お客様情報及びシリアル番号を読み出す。データベース２０は、これらの情報をＤＢ送受信ＩＦ６６を介して（Ｓ７５）、検索部６１へ返す（Ｓ７６）。検索部６１は、シリアル番号をＲＦＩＤリーダ／ライタＩＦ６７を介して（Ｓ７７）、ＲＦＩＤリーダ／ライタ３０へ出力する（Ｓ７８）。また、検索部６１は、設備情報、お客様情報及びシリアル番号を発光認識部６４へ出力する。これにより、シリアル番号がＲＦの電波により、ＲＦＩＤリーダ／ライタ３０からＲＦＩＤタグ１０−１〜１０−６へ送信される。
【００４３】
図８は、図６に示すＲＦＩＤタグ１０−１のＲＦＩＤチップ１２が発光素子１１−１を発光させる際のフローチャートである。
まず、シリアル受信部１２１は、ＲＦＩＤリーダ／ライタ３０からの電波により搬送されたシリアル番号を受信する（Ｓ８１）。シリアル受信部１２１は、シリアル番号を判定部１２２へ転送する。
【００４４】
判定部１２２は、シリアル受信部１２１からのシリアル番号と、記録部１２３に記憶された固有シリアル番号とが一致するか否かを判断する（Ｓ８２）。判定部１２２は、これらのシリアル番号が一致する場合（Ｓ８２のＹｅｓ）、一致通知をＬＥＤ起動部１２４へ出力する。
【００４５】
ＬＥＤ起動部１２４は、判定部１２２からの一致通知を受けると、発光素子１１−１を発光させ（Ｓ８３）、処理は終了する。
また、Ｓ８２において、シリアル番号が一致しない場合（Ｓ８２のＮｏ）、処理は終了する。
これにより、コネクタ１００−１に取り付けられたＲＦＩＤタグ１０−１の発光素子１１−１が発光することとなる。
【００４６】
図９は、ＣＲＴ５０にコネクタ１００−１の情報を表示させる際のシーケンス図である。
ビデオカメラ４０は、コネクタ１００−１〜１００−６を常時撮像し、その映像データをＰＣ６０へ出力する。
ビデオカメラＩＦ６８は、ビデオカメラで撮像された映像データを受信する（Ｓ９１）。ビデオカメラＩＦ６８は、この映像データを映像取込部６２へ転送する（Ｓ９２）。映像取込部６２は、ビデオカメラＩＦ６８からの映像データを発光認識部６４へ転送する（Ｓ９３）。
【００４７】
発光認識部６４は、映像取込部６２からの映像データに対して画像解析を行い、映像データ中に発光素子１１−１〜１１−６による発光があるか否かを判断する。発光認識部６４は、発光素子１１−１の発光を認識した場合、映像取込部６２に対して、認識通知を出力する（Ｓ９４）。また、発光認識部６４は、発光素子１１−１の発光を認識した場合、検索部６１から出力された、設備情報、お客様情報及びシリアル番号を映像加工部６３へ出力すると共に、発光素子１１−１の位置にこれらの情報を表示するように映像加工部６３に対して指示を出す（Ｓ９５）。
【００４８】
映像取込部６２は、発光認識部６４からの認識通知に応じて、映像データを映像加工部６３へ出力する（Ｓ９６）。映像加工部６３は、映像取込部６２からの映像データに上記情報を表示した加工映像を生成し、この加工映像をＣＲＴ  ＩＦ６９を介して（Ｓ９７）、ＣＲＴ５０へ出力する（Ｓ９８）。
【００４９】
図１０は、ＣＲＴ５０の表示例を示す模式図である。発光素子１１−１が発光している場合、ＣＲＴ５０には、コネクタ１００−１のシリアル番号、設備情報である製造年月日及び製造会社、お客様情報であるサービス種別及びお客様名が表示される。
以上のように、上記第１の実施形態では、ＲＦＩＤタグ１０は、コネクタ１００を特定可能な固有シリアル番号を予め記憶する。そして、ＲＦＩＤタグ１０は、ＲＦＩＤリーダ／ライタ３０により搬送されたシリアル番号が固有シリアル番号と一致する場合、発光素子１１を発行させるようにしている。このため、特に架空用光クロージャのように極めて狭い範囲に複数のコネクタがある場合には、多数ある光ファイバが収容されている中、該当するＲＦＩＤタグのみが発光することとなる。これにより、作業者は、複数のコネクタから作業対象のコネクタを極めて容易に見つけることが可能となる。また、誤って別のコネクタを外すことを避けることが可能となるだけでなく、ＲＦＩＤタグの探索時に誤って通信中の光ファイバに損失を与えることを特徴とする請求項１記載の避ける事が可能となる。つまり、通信に影響を与える可能性が低くなる。さらに、本実施形態に係るコネクタ識別システムは、コネクタの架空用光クロージャ内での相対位置が固定されていないような場合であっても、発光位置をもってコードの位置を認識することが可能であるため、多くのシーンで利用することが可能となる。
【００５０】
また、上記第１の実施形態では、ＣＲＴ上における発光素子の表示位置に、コネクタのシリアル番号、設備情報及びお客様情報を表示するようにしている。これにより、コネクタ識別システムは、精度の高い情報を表示することが可能となる。
また、上記第１の実施形態では、発光認識部６４で、ＲＦＩＤタグ１０に搭載された発光素子１１の発光を認識することで、コネクタを識別するようにしている。これにより、映像データに基づいて容易に該当コネクタを検出することが可能となり、ビデオカメラ４０で取り込んだ映像データをＰＣ６０上で処理することも極めて容易となる。したがって、ＰＣ６０に対する要求スペックが緩和できる。
【００５１】
また、上記第１の実施形態では、発光位置を契機にして、ＣＲＴ５０上に映像を表示する方式を採用している。これにより、本実施形態に係るコネクタ識別システムでは、架空クロージャ内のコネクタの相対的な位置及び座標等を示し、さらには一般的な画像認識で必要なマーカ等が不要となるため、システムの構築が容易となる。
【００５２】
また、上記第１の実施形態では、受信アンテナ１３で発生する電磁誘導により、ＲＦＩＤチップ１２への給電を行うようにしている。これにより、ＲＦＩＤリーダ／ライタ３０からの電波を用いて発光素子１１を発光させることが可能となるため、ＲＦＩＤタグ１０に電池をのせる必要がない。このため、電池をのせる場合と比較して安価にＲＦＩＤタグ１０を製造できる。また、電池の放電等を考慮する必要がないため、より長期間、ＲＦＩＤタグ１０を使用することが期待できる。
【００５３】
［第２の実施形態］  
図１１は、本発明の第２の実施形態に係わるＲＦＩＤチップ１２の機能構成を示すブロック図である。なお、図１１において図３と共通する部分には同じ符号を付して示し、ここでは異なる部分についてのみ説明する。
図１１におけるＲＦＩＤチップ１２には、３つの発光素子１１１〜１１３が接続されている。ＲＦＩＤチップ１２は、シリアル受信部１２１、判定部１２２、記憶部１２５及びＬＥＤ起動部１２６の機能を有する。
【００５４】
記憶部１２５には、特定可能な固有のシリアル番号が予め記憶されている。また、記憶部１２５には、発光させるべき発光素子の発光数が予め記憶されている。この発光数は、例えば、取り付けられるコネクタのコネクタ種別に応じて設定することが可能である。例えば、コネクタ種別がプラグである場合には発光数を「１」とし、コネクタ種別がソケットである場合には発光数「３」と設定することが可能である。記憶部１２５は、判定部１２２からの指示により、判定部１２２へ固有シリアル番号を出力すると共に、ＬＥＤ起動部１２６へ発光数を通知する。
【００５５】
ＬＥＤ起動部１２６は、判定部１２２からの一致通知を受け取ると、発光素子１１１〜１１３のうち記憶部１２５からの発光数に応じた数の発光素子を発光させる。
図１２は、本発明の第２の実施形態に係るＰＣ６０の機能構成を示すブロック図である。図１２において図４と共通する部分には同じ符号を付して示し、ここでは異なる部分についてのみ説明する。図１２におけるＰＣ６０は、検索部６１０、映像取込部６２、映像加工部６１１及び発光認識部６１２を備える。
【００５６】
検索部６１０は、外部入力ＩＦ６５を介して設備情報及びお客様情報のうち少なくともいずれかが入力されると、その入力情報に対応する設備情報、お客様情報及びシリアル番号を検索する。検索部６１０は、ＤＢ送受信ＩＦ６６を介して入力情報御をデータベース２０へ転送し、入力情報に対応した設備情報、お客様情報及びシリアル番号をデータベース２０に応答させる。これにより、入力情報により指定された設備情報、お客様情報及びシリアル番号がデータベース２０から読み出される。データベース２０には、例えば図１２に示すように、設備情報とシリアル番号とが対応付けられたテーブル１と、お客様情報とシリアル番号とが対応付けられたテーブル２とが格納されている。
【００５７】
本実施形態では、入力情報に応じて、設備情報、お客様情報及びシリアル番号が、プラグ及びソケット等のコネクタ種別毎に読み出されるものとする。以下では、ソケットに関する情報を設備情報１、お客様情報１及びシリアル番号１とし、プラグに関する情報を設備情報２、お客様情報２及びシリアル番号２とする。
【００５８】
検索部６１０は、設備情報１，２、お客様情報１，２及びシリアル番号１，２がデータベース２０から応答されると、シリアル番号１，２を、ＲＦＩＤリーダ／ライタＩＦ６７を介してＲＦＩＤリーダ／ライタ３０へ出力する。また、検索部６１０は、データベース２０からの設備情報１，２、お客様情報１，２及びシリアル番号１，２を発光認識部６１２へ出力する。なお、検索部６１０は、設備情報及びお客様情報のうち少なくともいずれか一方を発光認識部６１２へ出力するようにしても良い。
【００５９】
発光認識部６１２は、映像取込部６２からの映像データに対して画像解析を行い、映像中に発光素子による発光があるか否かを判断する。発光認識部６１２は、発光を認識した場合、発光素子による発光があったと判断し、映像取込部６２に対して、認識通知を出力する。
【００６０】
また、発光認識部６１２は、発光素子の発光数に応じて、コネクタのコネクタ種別を判別する。例えば、発光認識部６１２は、発光素子が三つ発光していると認識した場合、そのコネクタのコネクタ種別がソケットであると判断する。また、発光認識部６１２は、発光素子が一つ発光していると認識した場合、そのコネクタのコネクタ種別がプラグであると判断する。
【００６１】
発光認識部６１２は、発光を認識した場合、設備情報１，２、お客様情報１，２及びシリアル番号１，２を映像加工部６１１へ出力する。このとき、発光認識部６１２は、設備情報１、お客様情報１及びシリアル番号１を、コネクタ種別がソケットであるコネクタに対応した位置に表示するように、映像加工部６１１に対して指示を出す。また、発光認識部６１２は、設備情報２、お客様情報２及びシリアル番号２を、コネクタ種別がプラグであるコネクタに対応した位置に表示するように、映像加工部６１１に対して指示を出す。なお、発光認識部６１２は、設備情報及びお客様情報のうち少なくともいずれか一方を映像加工部６１１へ出力するようにしても良い。
【００６２】
映像加工部６１１は、映像取込部６２からの映像データを、発光認識部６１２から指示された位置に発光認識部６１２からの情報を表示するように加工する。映像加工部６１１は、加工後の映像をＣＲＴ  ＩＦ６９を介してＣＲＴ５０へ出力する。
次に、上記構成における動作を説明する。ここでは、図１３に示すように、光スプリッタ２００側の光ファイバにコネクタ１００−１〜１００−４が取り付けられ、コネクタ１００−１，１００−２には、ドロップファイバ側のコネクタ１００−５，１００−６がそれぞれ接続される場合を説明する。コネクタ１００−１〜１００−６には、それぞれＲＦＩＤタグ１０−１〜１０−６が取り付けられている。
【００６３】
図１４は、本発明の第２の実施形態に係るＰＣ６０がＲＦＩＤタグ１０−１〜１０−６に対して電波を照射する際のシーケンス図である。
図１４において、まず、ユーザは、操作入力部７０により検索したい設備情報及びお客様情報のうち少なくともいずれか一方を入力する。ここで、図７においては、お客様情報であるお客様名が入力された場合を例に説明する。
【００６４】
外部入力ＩＦ６５は、ユーザが入力したお客様名を受信する（Ｓ１４１）。外部入力ＩＦ６５は、このお客様名を検索部６１０へ転送する（Ｓ１４２）。検索部６１０は、お客様名をＤＢ送受信ＩＦ６６を介して（Ｓ１４３）、データベース２０へ送信する（Ｓ１４４）。
【００６５】
データベース２０は、テーブル１及びテーブル２を参照して、入力されたお客様名に対応した設備情報１，２、お客様情報１，２及びシリアル番号１，２を読み出す。なお、ここでは、コネクタ種別がソケットであるコネクタに関する情報を、設備情報１、お客様情報１及びシリアル番号１とし、コネクタ種別がプラグであるコネクタに関する情報を設備情報２、お客様情報２及びシリアル番号２とする。
【００６６】
データベース２０は、これらの情報をＤＢ送受信ＩＦ６６を介して（Ｓ１４５）、検索部６１０へ返す（Ｓ１４６）。検索部６１０は、シリアル番号１，２をＲＦＩＤリーダ／ライタＩＦ６７を介して（Ｓ１４７）、ＲＦＩＤリーダ／ライタ３０へ出力する（Ｓ１４８）。また、検索部６１０は、設備情報１，２、お客様情報１，２及びシリアル番号１，２を発光認識部６１２へ出力する。これにより、シリアル番号１，２がＲＦの電波により、ＲＦＩＤリーダ／ライタ３０からＲＦＩＤタグ１０−１〜１０−６へ送信される。
【００６７】
図１５は、図１３に示すＲＦＩＤタグ１０−１のＲＦＩＤチップ１２が発光素子１１１−１〜１１３−１を発光させる際、及び、ＲＦＩＤタグ１０−５のＲＦＩＤチップ１２が発光素子１１１−５を発光させる際のフローチャートである。
まず、シリアル受信部１２１は、ＲＦＩＤリーダ／ライタ３０からの電波により搬送されたシリアル番号を受信する（Ｓ１５１）。シリアル受信部１２１は、シリアル番号を判定部１２２へ転送する。
【００６８】
判定部１２２は、シリアル受信部１２１からのシリアル番号と、記録部１２５に記憶された固有シリアル番号とが一致するか否かを判断する（Ｓ１５２）。判定部１２２は、これらのシリアル番号が一致する場合（Ｓ１５２のＹｅｓ）、一致通知をＬＥＤ起動部１２６へ出力する。
【００６９】
ＬＥＤ起動部１２６は、判定部１２２からの一致通知を受け取ると、発光素子１１１〜１１３のうち記憶部１２５からの発光数に応じた数の発光素子を発光させ（Ｓ１５３）、処理は終了する。
また、Ｓ１５２において、シリアル番号が一致しない場合（Ｓ１５２のＮｏ）、処理は終了する。
【００７０】
これにより、コネクタ１００−１に取り付けられたＲＦＩＤタグ１０−１では、記憶部１２５から発光数「３」がＬＥＤ起動部１２６へ通知され、発光素子１１１−１〜１１３−１が発光する。また、１００−５に取り付けられたＲＦＩＤタグ１０−５では、記憶部１２５から発光数「１」がＬＥＤ起動部１２６へ通知され、発光素子１１１−５が発光する。
【００７１】
図１６は、ＣＲＴ５０にコネクタ１００−１，１００−５の情報を表示させる際のシーケンス図である。
ビデオカメラ４０は、コネクタ１００−１〜１００−６を常時撮像し、その映像データをＰＣ６０へ出力する。
ビデオカメラＩＦ６８は、ビデオカメラで撮像された映像データを受信する（Ｓ１６１）。ビデオカメラＩＦ６８は、この映像データを映像取込部６２へ転送する（Ｓ１６２）。映像取込部６２は、ビデオカメラＩＦ６８からの映像データを発光認識部６１２へ転送する（Ｓ１６３）。
【００７２】
発光認識部６１２は、映像取込部６２からの映像データに対して画像解析を行い、映像データ中に発光素子１１１〜１１３による発光があるか否かを判断する。発光認識部６１２は、発光素子１１１−１〜１１１−３，１１１−５の発光を認識した場合、映像取込部６２に対して、認識通知を出力する（Ｓ１６４）。発光認識部６１２は、三つの発光素子が発光しているＲＦＩＤ１０−１が取り付けられたコネクタ１００−１のコネクタ種別をソケットと判断する。また、発光認識部６１２は、一つの発光素子が発行しているＲＦＩＤタグ１００−５のコネクタ種別をプラグと判断する。
【００７３】
また、発光認識部６１２は、発光素子１１１−１〜１１３−１，１１１−５の発光を認識した場合、検索部６１０から受け取った、設備情報１，２、お客様情報１，２及びシリアル番号１，２を映像加工部６１１へ出力する。このとき、発光認識部６１２は、設備情報１、お客様情報１及びシリアル番号１を、発光素子１１１−１〜１１３−１が発光する位置に表示するように、映像加工部６１１に対して指示を出す。また、発光認識部６１２は、設備情報２、お客様情報２及びシリアル番号２を、発光素子１１１−５が発光する位置に表示するように、映像加工部６１１に対して指示を出す（Ｓ１６５）。
【００７４】
映像取込部６２は、発光認識部６１２からの認識通知に応じて、映像データを映像加工部６１１へ出力する（Ｓ１６６）。映像加工部６１１は、映像取込部６２からの映像データに上記情報を表示した加工映像を生成し、この加工映像をＣＲＴ  ＩＦ６９を介して（Ｓ１６７）ＣＲＴ５０へ出力する（Ｓ１６８）。
【００７５】
図１７は、ＣＲＴ５０の表示例を示す模式図である。発光素子１１１−１〜１１３−１が発光している位置には、コネクタ１００−１のシリアル番号と、設備情報である製造年月日、製造会社及びコネクタ種別と、お客様情報であるサービス種別及びお客様名とが表示される。また、発光素子１１１−５が発光している位置には、コネクタ１００−５のシリアル番号と、設備情報である製造年月日、製造会社及びコネクタ種別と、お客様情報であるサービス種別及びお客様名とが表示される。
【００７６】
以上のように、上記第２の実施形態では、発光素子の発光数に応じて、コネクタ種別を判別するようにしている。このため、例えば、三つの発光素子が発光している場合は光スプリッタ２００側のコネクタであり、一つの発光素子が発光している場合はドロップファイバ側のコネクタであると判別することが可能となる。これにより、光スプリッタ側のコネクタの情報及びドロップ側のコネクタの情報を同時にＣＲＴ５０上に表示することが可能となるため、作業性がさらに向上することとなる。
【００７７】
［第２の実施形態の変形例１］  
図１８は、本発明の第２の実施形態の変形例１に係わるＲＦＩＤチップ１２の機能構成を示すブロック図である。図１８のＲＦＩＤチップ１２には複数の発光素子１１１〜１１ｎ（ｎは自然数）が接続されている。
記憶部１２７には、シリアル番号が一致した場合、どの発光素子を発光させるかが予め記憶されている。ＬＥＤ起動部１２８は、記憶部１２７に記憶された発光形状に従って、発光素子１１１〜１１ｎを発光させる。
【００７８】
発光認識部６１２は、発光素子の発光形状に応じて、コネクタのコネクタ種別を判別する。図１９は、発光素子の発光形状とコネクタ種別との対応関係の例を示す。図１９では、３×３で合計９個の発光素子が配置される。発光認識部６１２は、９個の発光素子が、十字型に光った場合は、コネクタ種別がソケットであると判別し、Ｘ字型に光った場合は、コネクタ種別がプラグであると判別するように予め設定されている。
【００７９】
発光認識部６１２は、もし各々十字型・Ｘ字型の状況が確認された場合、映像加工部６１１に対して、設備情報１，２、若しくはお客様情報１，２あるいはその両方と検索されたシリアル番号１，２を送信する。そして、これらの情報を送信すると共に、映像中で十字型発光又はＸ字型発光している位置に、対応した情報を表示する指令を出す。
【００８０】
以上のように、上記第２の実施形態の変形例１では、発光素子の発光形状に応じて、コネクタ種別を判別するようにしている。このため、例えば、十字型に光った場合は光スプリッタ２００側のコネクタであり、Ｘ字型に光った場合はドロップファイバ側のコネクタであると判別することが可能となる。これにより、光スプリッタ側のコネクタ及びドロップ側のコネクタの情報を同時にＣＲＴ５０上へ表示することが可能となる。
【００８１】
［第２の実施形態の変形例２］  
図２０は、本発明の第２の実施形態の変形例２に係わるＲＦＩＤチップ１２の機能構成を示すブロック図である。図２０のＲＦＩＤチップ１２には複数の発光素子１１１が接続されている。
記憶部１２９には、シリアル番号が一致した場合、発光素子をどのような発光パターンで発光させるかが予め記憶されている。発光パターンとは、例えば、図２１に示すように連続して点灯し続けるか、一定の時間的間隔毎に点灯するか等のことである。ＬＥＤ起動部１２１０は、記憶部１２９に記憶された発光パターンに従って、発光素子１１１を発光させる。
【００８２】
発光認識部６１２は、発光素子の発光パターンに応じて、コネクタのコネクタ種別を判別する。図２２は、発光素子の発光パターンとコネクタ種別との対応関係の例を示す図である。発光認識部６１２は、発光素子１１１が点灯している場合には、コネクタのコネクタ種別がソケットであると判別し、点滅している場合には、コネクタ種別がプラグであると判別するように予め設定されている。
【００８３】
発光認識部６１２は、もし各々発光・点滅の状況が確認されれば、映像加工部６１１に対して、設備情報１，２、若しくはお客様情報１，２あるいはその両方と検索されたシリアル番号１，２を送信する。そして、これらの情報を送信すると共に、映像中で連続発光又は点滅発光している位置に、対応した情報を表示する指令を出す。
【００８４】
以上のように、上記第２の実施形態の変形例２では、発光素子の発光パターンに応じて、コネクタ種別を判別するようにしている。このため、例えば、発光素子が点灯している場合は光スプリッタ２００側のコネクタであり、点滅している場合はドロップファイバ側のコネクタであると判別することが可能となる。これにより、光スプリッタ側のコネクタ及びドロップ側のコネクタの情報を同時にＣＲＴ５０上へ表示することが可能となる。
【００８５】
［その他の実施形態］  
なお、この発明は上記各実施形態に限定されるものではない。例えば、上記各実施形態では、ＲＦＩＤタグ１０が発光素子１１を備える例について説明したが、発光素子１１以外のものを備える場合であっても構わない。
図２３は、本発明のその他の実施形態に係るＲＦＩＤタグ１０の構成を示す模式図である。図２３におけるＲＦＩＤタグ１０は、発光素子１１、ＲＦＩＤチップ１４、受信用アンテナ１３及びスピーカ１５を備える。図２３において図２と共通する部分には同じ符号を付して示し、ここでは異なる部分についてのみ説明する。
【００８６】
図２４は、本発明のその他の実施形態に係るＲＦＩＤチップ１４の機能構成を示すブロック図である。また、図２５は、図２４に示すＲＦＩＤチップ１４が発光素子１１を発光させる際のフローチャートである。
図２４におけるＲＦＩＤチップ１４は、シリアル受信部１４１、判定部１４２、記憶部１４３、ＬＥＤ起動部１４４及びスピーカ起動部１４５の機能を有する。
【００８７】
シリアル受信部１４１は、電波を介して送信されたシリアル番号を受信し（Ｓ２５１）、判定部１４２へ転送する。
記憶部１４３には、コネクタ１００が特定可能な固有のシリアル番号が予め記憶されている。記憶部１４３は、判定部１４２からの指示により、判定部１４２へ固有シリアル番号を出力する。
【００８８】
判定部１４２は、シリアル受信部１４１からのシリアル番号と、記録部１４３からの固有シリアル番号とを比較し、これらのシリアル番号が一致するか否かを判断する（Ｓ２５２）。判定部１４２は、これらのシリアル番号が一致する場合（Ｓ２５２のＹｅｓ）、一致通知をＬＥＤ起動部１４４及びスピーカ起動部１４５へ出力する。
【００８９】
ＬＥＤ起動部１４４は、判定部１４２からの一致通知に応じて、発光素子１１を発光させる。また、スピーカ起動部１４５は、判定部１４２からの一致通知に応じて、スピーカ１５に信号音を発生させる（Ｓ２５３）。
上記構成により、ＲＦＩＤタグ１０は、固有シリアル番号が一致する場合、発光に加え、信号音を発生するようになっている。このため、作業者は、直射日光等が当たり発光素子が見えにくい状態であっても、音により判別が可能であるため、容易に作業対象のコネクタを見つけ出すことができる。
【００９０】
図２６は、本発明のその他の実施形態に係るＲＦＩＤタグ１０の構成を示す模式図である。図２６におけるＲＦＩＤタグ１０は、発光素子１１、ＲＦＩＤチップ１６、受信用アンテナ１３及びバイブレータ１７を備える。図２６において図２と共通する部分には同じ符号を付して示し、ここでは異なる部分についてのみ説明する。
【００９１】
図２７は、本発明のその他の実施形態に係るＲＦＩＤチップ１６の機能構成を示すブロック図である。また、図２８は、図２７に示すＲＦＩＤチップ１６が発光素子１１を発光させる際のフローチャートである。
図２７におけるＲＦＩＤチップ１６は、シリアル受信部１６１、判定部１６２、記憶部１６３、ＬＥＤ起動部１６４及び振動起動部１６５の機能を有する。
【００９２】
シリアル受信部１６１は、電波を介して送信されたシリアル番号を受信し（Ｓ２８１）、判定部１６２へ転送する。
判定部１６２は、シリアル受信部１６１からのシリアル番号と、記録部１６３からの固有シリアル番号とを比較し、これらのシリアル番号が一致するか否かを判断する（Ｓ２８２）。判定部１６２は、これらのシリアル番号が一致する場合（Ｓ２８２のＹｅｓ）、一致通知をＬＥＤ起動部１６４及び振動起動部１６５へ出力する。
【００９３】
ＬＥＤ起動部１６４は、判定部１６２からの一致通知に応じて、発光素子１１を発光させる。また、振動起動部１６５は、判定部１６２からの一致通知に応じて、バイブレータ１７に振動を発生させる（Ｓ２８３）。
上記構成により、ＲＦＩＤタグ１０は、固有シリアル番号が一致する場合、発光に加え、振動を発生するようになっている。これにより、作業者は、目視が困難な場合でも、振動による判別が可能であるため、手での接触が可能であるならば、容易に作業対象のコネクタを見つけ出すことができる。
【００９４】
なお、図２４及び図２６では、ＲＦＩＤタグ１０が発光素子１１を一つ備える例について説明したが、複数の発光素子を備えていても構わない。また、ＬＥＤ起動部１６４は、コネクタ種別に応じて発光素子１１を点滅させるようにしても構わない。
また、本発明に係るＰＣ６０は、コンピュータとプログラムによっても実現可能である。このとき、このプログラムは記録媒体に記録して提供することも、ネットワークを介して提供することも可能である。
【００９５】
さらに、この発明は、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００９６】
１０…ＲＦＩＤタグ
１１，１１１，１１２，１１３，１１ｎ…発光素子
１２，１４，１６…ＲＦＩＤチップ
１２１，１４１，１６１…シリアル受信部
１２２，１４２，１６２…判定部
１２３，１２５，１２７，１２９，１４３，１６３…記憶部
１２４，１２６，１２８，１２１０，１４４，１６４…ＬＥＤ起動部
１３…受信アンテナ
１４５…スピーカ起動部
１５…スピーカ
１６５…振動起動部
１７…バイブレータ
２０…ＤＢ
３０…ＲＦＩＤリーダ／ライタ
４０…ビデオカメラ
５０…ＣＲＴ
６０…ＰＣ
６１，６１０…検索部
６２…映像取込部
６３，６１１…映像加工部
６４，６１２…発光認識部
６５…外部入力ＩＦ
６６…ＤＢ送受信ＩＦ
６７…ＲＦＩＤリーダ／ライタＩＦ
６８…ビデオカメラＩＦ
６９…ＣＲＴ  ＩＦ
７０…操作入力部
１００…コネクタ
２００…光スプリッタ
【図１】
2011067077.tif 000003
【図２】
2011067077.tif 000004
【図３】
2011067077.tif 000005
【図４】
2011067077.tif 000006
【図５】
2011067077.tif 000007
【図６】
2011067077.tif 000008
【図７】
2011067077.tif 000009
【図８】
2011067077.tif 000010
【図９】
2011067077.tif 000011
【図１０】
2011067077.tif 000012
【図１１】
2011067077.tif 000013
【図１２】
2011067077.tif 000014
【図１３】
2011067077.tif 000015
【図１４】
2011067077.tif 000016
【図１５】
2011067077.tif 000017
【図１６】
2011067077.tif 000018
【図１７】
2011067077.tif 000019
【図１８】
2011067077.tif 000020
【図１９】
2011067077.tif 000021
【図２０】
2011067077.tif 000022
【図２１】
2011067077.tif 000023
【図２２】
2011067077.tif 000024
【図２３】
2011067077.tif 000025
【図２４】
2011067077.tif 000026
【図２５】
2011067077.tif 000027
【図２６】
2011067077.tif 000028
【図２７】
2011067077.tif 000029
【図２８】
2011067077.tif 000030